(57)【要約】      （修正有）【課題】新しい着信又は新しい情報の提示を行う必要がある連絡先をフィルタリングでき、ユーザー体験を向上させる腕時計、移動端末、通信提示システムを提供する。【解決手段】移動端末にユーザーの連絡先選別インターフェースを提供し、ユーザーのこの連絡先選別インターフェースを介して選んだ連絡先を連絡先選別データとして記憶し、新しい着信又は新しい情報を伝送した伝送者を連絡先選別データと比較し、伝送者が連絡先選別データに含まれると判断した時、無線通信方式で要求提示信号を送信する移動端末と、提示情報を提供するためのウェアラブルデバイスと、を備える。【選択図】図４
2018074559.tif 000002
【特許請求の範囲】
【請求項１】
通信提示システムであって、
連絡先選別インターフェースを提供し、ユーザーの前記連絡先選別インターフェースを介して選んだ連絡先を連絡先選別データとして記憶し、新しい着信又は新しい情報を受信すると、前記新しい着信又は前記新しい情報を伝送した伝送者を前記連絡先選別データと比較し、前記伝送者が前記連絡先選別データに含まれると判断した時、無線通信方式で要求提示信号を送信する移動端末と、
提示情報を提供するためのウェアラブルデバイスと、を備え、
前記ウェアラブルデバイスは、無線通信方式で前記移動端末の発した前記要求提示信号を受信することによって、前記提示情報を発する通信提示システム。
【請求項２】
前記移動端末は、前記ユーザーに提示モードを選択させるための提示モード選択インターフェースを提供する請求項１に記載の通信提示システム。
【請求項３】
前記移動端末は、前記新しい着信又は前記新しい情報の出所タイプを判断し、異なる出所タイプに基づいて異なる要求提示信号を発生し、前記ウェアラブルデバイスが異なる提示情報を発生するようにする請求項１に記載の通信提示システム。
【請求項４】
前記ウェアラブルデバイスは、腕時計又は腕輪を含む請求項１に記載の通信提示システム。
【請求項５】
前記腕時計又は腕輪は、
前記移動端末の送信した前記要求提示信号を受信するように前記移動端末と無線通信する無線通信モジュールと、
前記無線通信モジュールから伝送される前記要求提示信号を受信することによって制御命令を発生するプロセッサユニットと、
前記プロセッサユニットの前記制御命令により制御され、前記制御命令を受信した時、前記提示情報を発する提示器と、
を備える機能モジュールを含む請求項４に記載の通信提示システム。
【請求項６】
前記提示情報は振動提示情報を含む請求項１に記載の通信提示システム。
【請求項７】
ディスプレイを含む移動端末であって、
前記ディスプレイに表示され、連絡先リストにおける一つ又は複数の連絡先をユーザーに選択させるための前記連絡先リストを含む連絡先選別インターフェースと、
前記ユーザーの前記連絡先選別インターフェースを介して選んだ連絡先を連絡先選別データとして記憶するための記憶手段と、
前記移動端末が新しい着信又は新しい情報を受信した時、前記新しい着信又は前記新しい情報を伝送した伝送者を前記連絡先選別データと比較する比較手段と、
前記移動端末は前記伝送者が前記連絡先選別データに含まれると判断した時、無線通信方式で要求提示信号を送信する無線信号送受信機と、
を含む移動端末。
【請求項８】
前記ディスプレイ上に表示され、提示モードを前記ユーザーに選択させる提示モード選択インターフェースをさらに備える請求項７に記載の移動端末。
【請求項９】
ダイアルと、少なくとも一つの実体針と、ムーブメントとを備え、前記ダイアル上には実体の時間目盛りが設けられ、前記実体針は前記ダイアルの上方に設けられ、前記ムーブメントは前記実体針を駆動するためのものであり、さらに、前記実体針は前記ダイアル上の時間目盛りと合わせて時間情報を表示する腕時計であって、機能モジュールをさらに含み、前記機能モジュールは、
要求提示信号を受信する無線通信モジュールと、
前記無線通信モジュールから伝送される前記要求提示信号を受信して、制御命令を生じるプロセッサユニットと、
前記プロセッサユニットの前記制御命令により制御され、前記制御命令を受信した時、提示情報を発する提示器と、を少なくとも含み、
前記無線通信モジュールは、移動端末の新しい着信又は新しい情報の出所タイプによって発生した異なる要求提示信号を受信し、前記提示器は、これらの異なる要求提示信号に応じて、異なる提示情報を生じさせる腕時計。
【請求項１０】
ユーザーの連絡先選別インターフェースを介して選んだ連絡先を連絡先選別データとして記憶するステップと、
新しい着信又は新しい情報を受信した時、前記新しい着信又は前記新しい情報を伝送した伝送者を前記連絡先選別データと比較するステップと、
前記伝送者が前記連絡先選別データに含まれることが照合されると、無線通信方式で要求提示信号を送信するステップと、
前記要求提示信号に応じて、提示情報を発するステップと、
を含む通信提示方法。
【発明の詳細な説明】
【技術分野】
【０００１】
本発明は、移動端末と合わせて使用される装置、及び移動端末と合わせて実現する方法に関し、特に、腕時計、移動端末、通信提示システム及び方法に関する。
【背景技術】
【０００２】
現在のスマート腕時計は、スマートフォンと合わせることができ、スマート腕時計で着信提示の機能を実現し、スマートフォンが新しい着信又は新しいショートメッセージサービスを受信すると、ユーザーに新しい着信又は新しいショートメッセージサービスを受けたことを気付かせるように、提示情報を発したことをスマート腕時計に通知する。従来の技術は、ユーザーにこのような利便性を提供するが、幾つかの場合はしばしば却ってユーザーに面倒なこととなり、スマート腕時計の発した新しい着信又は新しいショートメッセージサービスの提示情報が頻繁過ぎると、却ってユーザーを邪魔することとなり、ユーザーにとって、従来の新しい着信又は新しいショートメッセージサービスの提示機能にはやはり不足があった。
【発明の概要】
【発明が解決しようとする課題】
【０００３】
本発明の目的の一つは、新しい着信又は新しい情報の提示を行う必要がある連絡先をフィルタリングでき、ユーザー体験を向上させる腕時計、移動端末、通信提示システム及び方法を提供することである。
【０００４】
上記目的を達成するために、本発明の一態様は、連絡先選別インターフェースを提供し、ユーザーの当該連絡先選別インターフェースを介して選んだ連絡先を連絡先選別データとして記憶し、新しい着信又は新しい情報を受信すると、当該新しい着信又は当該新しい情報を伝送した伝送者を当該連絡先選別データと比較し、当該伝送者が当該連絡先選別データに含まれると判断した時、無線通信方式で要求提示信号を送信する移動端末と、提示情報を提供するためのウェアラブルデバイスと、を備え、当該ウェアラブルデバイスは、無線通信方式で当該移動端末の発した当該要求提示信号を受信することによって、当該提示情報を発する通信提示システムを提供している。
【０００５】
本発明の他の態様は、ディスプレイを含む移動端末であって、当該ディスプレイに表示され、連絡先リストにおける一つ又は複数の連絡先をユーザーに選択させるための当該連絡先リストを含む連絡先選別インターフェースと、当該ユーザーの当該連絡先選別インターフェースを介して選んだ連絡先を連絡先選別データとして記憶するための記憶手段と、当該移動端末が新しい着信又は新しい情報を受信した時、当該新しい着信又は当該新しい情報を伝送した伝送者を当該連絡先選別データと比較する比較手段と、当該移動端末は当該伝送者が当該連絡先選別データに含まれると判断した時、無線通信方式で要求提示信号を送信する無線信号送受信機と、を含む移動端末を提供している。
【０００６】
本発明のまた他の態様は、ダイアルと、少なくとも一つの実体針と、ムーブメントとを備え、当該ダイアル上には実体の時間目盛りが設けられ、当該実体針は当該ダイアルの上方に設けられ、当該ムーブメントは当該実体針を駆動するためのものであり、さらに、当該実体針は当該ダイアル上の時間目盛りと合わせて時間情報を表示する腕時計であって、機能モジュールをさらに含み、当該機能モジュールは、要求提示信号を受信する無線通信モジュールと、当該無線通信モジュールから伝送される当該要求提示信号を受信して、制御命令を生じるプロセッサユニットと、当該プロセッサユニットの当該制御命令により制御され、当該制御命令を受信した時、提示情報を発する提示器とを少なくとも含み、当該無線通信モジュールは、移動端末の新しい着信又は新しい情報の出所タイプによって発生した異なる要求提示信号を受信し、当該提示器は、これらの異なる要求提示信号によって、異なる提示情報を生じさせる腕時計を提供している。
【０００７】
本発明のさらに他の態様は、ユーザーの連絡先選別インターフェースを介して選んだ連絡先を連絡先選別データとして記憶するステップと、新しい着信又は新しい情報を受信した時、当該新しい着信又は当該新しい情報を伝送した伝送者を当該連絡先選別データと比較するステップと、当該伝送者が当該連絡先選別データに含まれることが照合されると、無線通信方式で要求提示信号を送信するステップと、当該要求提示信号に応じて、提示情報を発するステップと、を含む通信提示方法を提供している。
【０００８】
本発明では、移動端末をウェアラブルデバイス（例えば腕時計や腕輪）と合わせ、移動端末はユーザーの連絡先選別インターフェースを提供し、ユーザーはこのインターフェースを介して提示を送信すべき一つ又は複数の連絡先を選択し、移動端末が新しい着信又は新しい情報を受信した時、その伝送者がユーザーの選択した者であるか否かを判断し、ユーザーの選択した者であると、ウェアラブルデバイスが提示情報を発してユーザーに注意させる。本発明において、ユーザーは新しい着信又は新しい情報の提示を行わなければならない連絡先をフィルタリングでき、ユーザーの重要な着信又は情報の追随に便利で、ユーザー体験を向上させることができる。一方、ユーザーは、電話、ショートメッセージサービスや通信、コミュニティソフトに対して異なる提示方式を設定することもでき、ユーザーの各種類の付き合いに対する通信の把握に便利である。
【図面の簡単な説明】
【０００９】
【図１】本発明の実施例の腕時計の平面模式図である。
【図２】図１に示した腕時計の分解図である。
【図３】図１に示した腕時計の断面模式図である。
【図４】本発明の機能モジュールと移動端末の通信の構築模式図である。
【図５】本発明における連絡先選別インターフェースの一例である。
【図６】本発明における電話提示をフィルタリングする設定インターフェースの一例である。
【図７】本発明におけるショートメッセージサービス提示をフィルタリングする設定インターフェースの一例である。
【図８Ａ−８Ｃ】本発明における通信、コミュニティソフトの提示をフィルタリングする設定インターフェースの一例である。
【図９】本発明の通信提示方法の流れ模式図である。
【発明を実施するための形態】
【００１０】
以下、本発明の目的、技術案及び効果をより明らかで、明確にするために、本発明について図面を参照し実施例を挙げながらより詳細に説明する。よく理解できるように、ここに記述した具体的な実施例は本発明を解釈するためのものであり、本発明の明細書で用いた用語「実施例」とは実例、示例又は例証として用いることを意味し、本発明を限定するためのものではない。また、本発明の明細書及び添付した特許請求の範囲で用いた冠詞「一」は、別に指定しない、又は文脈から単数形式であると明らかに確定できない限り、一般に「一つ又は複数」であると解釈できる。さらに、添付図面において、構造や機能が類似又は同一である素子は同一の素子符号で表れる。
【００１１】
本発明は、腕時計、移動端末、通信提示システム及び方法に関し、移動端末が新しい着信又は新しい情報を受信した時、腕時計を介してユーザーへ提示情報を送信し、特に、これらの新しい着信又は新しい情報を選別することによって、ユーザーは提示すべき連絡先を選択することができ、新しい着信又は新しい情報がユーザーの設定した連絡先と合致する時、移動端末は提示情報を送信することを腕時計に通知する。
【００１２】
腕時計について、以下の記述では本発明を従来の水晶時計に適用したことを例として例を挙げて説明するが、本発明の属する技術分野の当業者であれば、本発明の概念は従来の機械時計、電子時計又は他のタイプの従来の腕時計に実施可能であるだけでなく、スマート腕時計、スマート腕輪又は類似なウェアラブルデバイスにも実施可能であることを理解できるであろう。移動端末については、スマートフォン、タブレットコンピュータ又はその他の通信機能を有する携帯式装置であってもよい。
【００１３】
図１、図２及び図３を参照すると、図１は本発明の実施例の腕時計の平面模式図を示し、図２は図１に示した腕時計の分解図を示し、図３は図１に示した腕時計の断面模式図を示している。本発明の実施例の腕時計は、時計表面１１と、ダイアル１２と、ムーブメント１３と、機能モジュール１４と、時計ケース１５と、クラウン１６と、バッテリ１７と、裏蓋１８とを備える。時計表面１１は透明な材質（ガラスなど）であり、ダイアル１２には実体の時間目盛り（１時〜１２時など）が設けられ、インジケータ（実体の時針、分針及び秒針など）はダイアル１２の上方に配置され、インジケータはムーブメント１３で駆動され、さらにダイアル１２上の時間目盛りと合わせて時間を表し、ユーザーは透明な時計表面１１を介してインジケータの指示した位置情報（即ち時間情報）を認識することができる。時計ケース１５と裏蓋１８は、腕時計の内部の機械構造及び/又は電子装置を保護するためのものであり、時計ケース１５、裏蓋１８、及びダイアル１２（又は時計表面１１）は、ムーブメント１３、機能モジュール１４及びバッテリ１７を収容するための収容空間を構成する。腕時計の側面には、クラウン１６がさらに設けられ、ユーザーはクラウン１６における撮みを回転することによって時間を調整したり目覚まし時間を設定したりすることができる。バッテリ１７は、ムーブメント１３及び/又は機能モジュール１４に必要な電力を与える。この実施例において、機能モジュール１４は腕時計内の収容空間に設けられる。しかし、他の実施例において、機能モジュール１４は、腕時計のその他の位置、例えば腕時計のバンドに設けられてもよい。機能モジュール１４は、移動端末と合わせて、新しい着信又は新しい情報の提示機能をユーザーに提供するためのものである。
【００１４】
本発明の図１〜図３から分かるように、時計表面１１、ダイアル１２、ムーブメント１３、時計ケース１５、クラウン１６、バッテリ１７及び裏蓋１８は、設計上で異なっても、それらの機能は従来の腕時計と類似しており、特に水晶時計の構築に相当する。ただ、周知技術と異なるのは、本発明の実施例の腕時計がさらに機能モジュール１４を含んだことである。つまり、従来の水晶時計における残り空間を利用してこの機能モジュール１４を実装でき、或いは、水晶時計の空間配置をさらに改善してこの機能モジュール１４を収容でき、さらに、移動端末と合わせて新しい着信又は新しい情報を提示する機能を達成し、従来の腕時計をスマート化する。同じように、本発明の機能モジュール１４は、機械時計、電子時計又は他のタイプの従来の腕時計にも配置されて、スマート化の機能を持たせることができ、その概念は水晶時計の実施例と類似であるため、さらに記述しない。
【００１５】
本発明の実施例において、バッテリ１７は、ムーブメント１３や機能モジュール１４へ電力を供給でき、つまり、ムーブメント１３及び機能モジュール１４（及び腕時計内のその他の電子装置）はバッテリ１７に蓄積された電力を同時に利用できる。他の実施例において、ムーブメント１３と機能モジュール１４は、互いに個別なバッテリと電力供給システムを備えてもよく、即ち、ムーブメント１３と機能モジュール１４は異なるバッテリにより電力供給される。
【００１６】
図２に示すように、機能モジュール１４は、電気的接続基板１４１と、電気的接続基板１４１上に設けられたパッケージ１４２とを備える。図４は、本発明の機能モジュール１４と移動端末４５の通信の構築模式図を示している。図１〜図３と共に図４を参照すると、本発明の機能モジュール１４のパッケージ１４２内には、プロセッサユニット４１と、提示器４２と、無線通信モジュール４３とが含まれる。プロセッサユニット４１、提示器４２及び無線通信モジュール４３は、電気配線基板１４１上で単一（ｍｏｎｏｌｉｔｈｉｃ）パッケージ構造、例えばシステム・イン・パッケージ（Ｓｙｓｔｅｍ ｉｎ Ｐａｃｋａｇｅ；ＳｉＰ）構造に封止されてもよく、単独に封止、或いは両者を整合して封止してもよく、そして同じ又は異なる電気的接続基板上の配線構造によって電気信号の伝達を実現する。電気配線基板１４１は、柔軟性又は硬性の多層基板であってもよいが、複数の金属層及び複数の誘電層を有し、金属層は電気信号を伝達するように、各々誘電層間に分布され、誘電層は、例えばポリイミド（ｐｏｌｙｉｍｉｄｅ）を材料とし、スピンコート法（ｓｐｉｎ ｃｏａｔｉｎｇ）で形成される。移動端末４５は、無線信号を送受信するための無線信号送受信機４６を備え、無線信号送受信機４６は、例えばブルートゥース（Ｂｌｕｅｔｏｏｔｈ）（登録商標）送受信機又はＮＦＣ（Ｎｅａｒ Ｆｉｅｌｄ Ｃｏｍｍｕｎｉｃａｔｉｏｎ、近接場通信）送受信機であってもよい。
【００１７】
機能モジュール１４における無線通信モジュール４３は、移動端末４５の無線信号送受信機４６と接続されて通信可能な通信モジュール、例えばブルートゥース通信モジュール又はＮＦＣ通信モジュールである。機能モジュール１４における提示器４２は、ユーザーへ提示情報を発するためのものであり、この提示情報は、振動、光や音声であっても構わない。例を挙げると、提示器４２は、長い振動、短い振動又はその他の振動形式、或いは組合せを発生する振動モーターを含んでもよい。また、提示器４２は、光線を発する方式でユーザーに気付かせる発光ダイオード（ＬＥＤ）を含んでもよい。さらに、提示器４２は、音声を発する方式でユーザーに気付かせる音声発生装置（スピーカーなど）を含んでもよい。提示器４２は、振動、光や音声のいずれの組合せの形式で提示情報を送信してもよい。
【００１８】
以下、続いて図１〜図３と共に図４を参照すると、本発明の通信提示システムは、移動端末４５と、ウェアラブルデバイス（例えば上記の腕時計、或いは、上記の機能モジュール１４の腕輪、又はその他の同一又は類似な機能を有するスマート腕輪を含む）とを含むことができる。具体的に、例を挙げると、本発明の通信提示機能は、移動端末４５及び当該腕時計の機能モジュール１４により達成できる。移動端末４５は、無線信号送受信機４６と、ディスプレイ４７と、記憶手段５０と、比較手段５１とを備える。ディスプレイ４７には、連絡先選別インターフェース画面４８と提示モード選択インターフェース画面４９が表示される。本発明の通信提示機能の詳細は次の通りである。
【００１９】
移動端末４５は、連絡先選別インターフェース画面４８（図５に示すように）を提供し、ユーザーは、当該連絡先選別インターフェース画面４８を介して提示を送信すべき一つ又は複数の連絡先を設定でき、移動端末４５は、ユーザーの当該連絡先選別インターフェース画面４８を介して選んだ連絡先を連絡先選別データとして記憶し、その記憶手段５０に記憶し、当該連絡先選別データは、ユーザーの設定した一つ又は複数の連絡先を含む。上記の連絡先選別インターフェース画面４８は、移動端末４５にインストールしたアプリケーション・プログラム（ＡＰＰ）を介してユーザーに与えてもよい。例を挙げると、図５に示すように、当該連絡先選別インターフェース画面４８は全ての連絡先を並べ、ユーザーはリストにおけるある一つの連絡先をクリックすることによって、いずれか連絡先に対する選択/解除の動作を行うことができる。この連絡先リストは、スマートフォン電話帳の連絡先であってもよく、通信ソフト又はコミュニティソフトの連絡先であってもよい。つまり、ユーザーは、スマートフォンの着信又はショートメッセージサービスを提示する連絡先を選別でき、通信、コミュニティソフトの連絡先をも選別できる。
【００２０】
移動端末４５が新しい着信又は新しい情報を受信した時、比較手段５１を介して当該新しい着信又は当該新しい情報を伝送した伝送者を当該連絡先選別データと比較し、比較手段５１が当該伝送者が当該連絡先選別データに含まれると判定した時、移動端末４５は無線信号送受信機４６を介して無線通信方式で要求提示信号を送信する。上記の新しい着信又は新しい情報は、スマートフォン着信、ショートメッセージサービス又は通信、コミュニティソフトの着信や情報であってもよく、且つ、その通信内容は、文字、音声や映像の形式に限定されるものではない。比較過程において、伝送者の名称と連絡先選別データにおける連絡先の名称との比較に限らず、例えば電話番号のような他のデータを比較してもよい。
【００２１】
当該ウェアラブルデバイス（又は腕時計）は提示情報を提供するためのものであり、当該ウェアラブルデバイスは移動端末４５の発した当該要求提示信号を受信した時、当該ウェアラブルデバイスは当該提示情報を発する。当該要求提示信号は、移動端末４５とウェアラブルデバイスが約束した方式で符号化/復号化することができるため、ウェアラブルデバイスは移動端末４５の伝送した当該要求提示信号を認識でき、当該要求提示信号を受信した時、設定しておいた動作を実行する。
【００２２】
上記した腕時計の機能モジュール１４として、移動端末４５の送信した当該要求提示信号を受信するように、無線通信モジュール４３を介して移動端末４５の無線信号送受信機４６と無線通信を行う。また、プロセッサユニット４１は、無線通信モジュール４３と結合され、無線通信モジュール４３から伝送される当該要求提示信号を受信し、これによって制御命令を発生する。提示器４２は、当該プロセッサユニット４１の制御命令により制御され、提示器が当該制御命令を受信した時、提示情報を発する。
【００２３】
図６を参照すると、本発明において電話提示をフィルタリングする設定インターフェースの一例を示す。この設定インターフェースは、移動端末４５にインストールしたアプリケーション・プログラム（ＡＰＰ）により提供でき、移動端末４５のディスプレイ４７（図４に示す）上に表示される。図６に示すように、ユーザーは、電話の着信提示機能をオン／オフでき、「連絡先選別設定」の下で電話帳リストから提示すべき連絡先を選択でき、ユーザーの選んだ連絡先から着信があると、ウェアラブルデバイス（又は腕時計や腕輪の機能モジュール１４）は提示情報を発することとなる。ユーザーは、このインターフェースを介して提示情報の表現形式を選択してもよい。例えば、ユーザーの選んだ連絡先から着信があった時、提示器４２は２回の振動を行う。図７は、本発明においてショートメッセージサービス提示をフィルタリングする設定インターフェースの一例を示し、ショートメッセージサービス提示のフィルタリング機能は図６に示す電話提示のフィルタリング機能と類似しており、ショートメッセージサービス提示のフィルタリング機能がユーザーの受信したショートメッセージサービスに対して連絡先のフィルタリングを行うが、さらに詳しくは述べない。
【００２４】
図８Ａ〜図８Ｃを参照すると、本発明において通信、コミュニティソフトの提示をフィルタリングする設定インターフェースの一例を示す。このインターフェースにおいて、ユーザーは、「通信及びコミュニティソフト選別設定」により提示させてもらいたい通信、コミュニティソフト種類を設定することができる。例えば、図８Ｃに示すように、ユーザーは、選択しようとするソフトを、通信、コミュニティソフトリストから既に選定したソフトを選定領域にドラッグすることができ、図８ＣはユーザーがＬＩＮＥ及びＦａｃｅｂｏｏｋを選択して利用することを示し、ユーザーは、選択を解除するために選択したソフトを押し、そのまま取り消して選択肢へドラッグすることができる。選定した通信、コミュニティソフトは、これらのソフトに対して新しい着信又は新しいショートメッセージサービスの送達提示を実行することを表す。ユーザーは、「連絡先選別設定」によりそれぞれの通信、コミュニティソフトに対して連絡先を選別する動作を行うこともでき、それは電話の連絡先の選別と類似であるため、さらに詳しくは述べない。
【００２５】
ユーザーは、電話、ショートメッセージサービスや通信、コミュニティソフトの提示に対して異なる提示情報を設定することができる（図４に示す提示モードによってインターフェース画面４９を選択する）。つまり、提示の表現方式が異なる。例を挙げると、電話に対する提示は、２回の長い振動を利用でき、ショートメッセージサービスの提示は、１回の短い振動を利用でき、通信、コミュニティソフトの提示は、１回の長い振動を利用できる。このように、ユーザーは異なる提示情報を感知すると、それが電話、ショートメッセージサービス又は通信、コミュニティソフトのいずれかに対して発した提示であるかを分かることができ、ユーザー体験を向上させる。
【００２６】
これに対し、移動端末４５は、新しい着信又は新しい情報の出所タイプも判断し、異なる出所タイプに応じて異なる要求提示信号を発生し、ウェアラブルデバイス（又は腕時計の機能モジュール１４の提示器４２）は異なる提示情報を発生するようになる。異なる通信、コミュニティソフトは、同一タイプと見なすことができ、異なる出所タイプ（例えばＬＩＮＥやＦａｃｅｂｏｏｋは異なるタイプ）に判定されてもよく、この判断の原則もユーザーにより自己設定又は分類することができる。
【００２７】
図１〜図４と共に図９を参照すると、以下では上記内容と共に本発明の提供する通信提示方法の各流れを説明する。
【００２８】
ステップＳ９０では、ユーザーの移動端末４５のディスプレイ４７に表示された連絡先選別インターフェース画面４８を介して選んだ連絡先を連絡先選別データとして記憶する。ユーザーは、連絡先選別インターフェース画面４８を介して提示を送信すべき一つ又は複数の連絡先を設定でき、移動端末４５は、ユーザーの選んだ連絡先を連絡先選別データとして記憶し、その記憶手段５０に記憶する。
【００２９】
ステップＳ９２では、移動端末４５は新しい着信又は新しい情報を受信すると、当該新しい着信又は当該新しい情報を伝送した伝送者とステップＳ９０で記憶した当該連絡先選別データとを比較する。ステップＳ９２は、移動端末４５の比較手段５１で行うことができる。
【００３０】
ステップＳ９４では、当該伝送者が当該連絡先選別データに含まれることが照合されると、無線通信方式で要求提示信号を送信する。具体的に、移動端末４５は、無線信号送受信機４６を介して無線通信方式で当該要求提示信号をウェアラブルデバイスへ送信する。
【００３１】
ステップＳ９６では、当該ウェアラブルデバイスは、当該要求提示信号に応じて、提示情報を発する。具体的に、当該ウェアラブルデバイスは、移動端末４５の発した当該要求提示信号を受信できる無線送受信機も含む。当該ウェアラブルデバイスは、当該要求提示信号に応じて、例えば振動のような提示情報を発することができる提示器をさらに含む。
【００３２】
本発明では、移動端末をウェアラブルデバイス（例えば腕時計や腕輪）と合わせ、移動端末はユーザーの連絡先選別インターフェースを提供し、ユーザーはこのインターフェースを介して提示を送信すべき一つ又は複数の連絡先を選択し、移動端末が新しい着信又は新しい情報を受信した時、その伝送者がユーザーの選択した者であるか否かを判断し、ユーザーの選択した者であると、ウェアラブルデバイスが提示情報を発してユーザーに注意させる。本発明において、ユーザーは新しい着信又は新しい情報の提示を行わなければならない連絡先をフィルタリングでき、ユーザーの重要な着信又は情報の追随に便利で、ユーザー体験を向上させることができる。一方、ユーザーは、電話、ショートメッセージサービスや通信、コミュニティソフトに対して異なる提示方式を設定することもでき、ユーザーの各種類の付き合いに対する通信の把握に便利である。
【００３３】
以上のように、本発明は好ましい実施例により開示されたが、これは本発明を限定するものではなく、本発明の属する技術分野における当業者であれば、本発明の要旨を逸脱しない精神及び範囲内において、種々の変更と潤色が可能であることは勿論であるため、本発明の保護範囲は添付する特許請求の範囲により準拠される。
【符号の説明】
【００３４】
１１   時計表面
１２   ダイアル
１３   ムーブメント
１４   機能モジュール
１５   時計ケース
１６   クラウン
１７   バッテリ
１８   裏蓋
４１   プロセッサユニット
４２   提示器
４３   無線通信モジュール
４５   移動端末
４６   無線信号送受信機
４７   ディスプレイ
４８   連絡先選別インターフェース画面
４９   提示モード選択インターフェース画面
５０   記憶手段
５１   比較手段
１４１  電気的接続基板
１４２  パッケージ
Ｓ９０〜Ｓ９６ ステップ
【図１】
2018074559.tif 000003
【図２】
2018074559.tif 000004
【図３】
2018074559.tif 000005
【図４】
2018074559.tif 000006
【図５】
2018074559.tif 000007
【図６】
2018074559.tif 000008
【図７】
2018074559.tif 000009
【図８Ａ】
2018074559.tif 000010
【図８Ｂ】
2018074559.tif 000011
【図８Ｃ】
2018074559.tif 000012
【図９】
2018074559.tif 000013